(57)【要約】【課題】低コストで提供でき且つ汎用性があり、設備内の機器を確認する際の時間と手間を短縮して確実に確認作業を遂行することができる設備確認用器具を提供する。【解決手段】可撓性を有するフィルム状のシート２１と、シート２１を片面上で固定するボード２２とが重ねられて一体化してなる台座２０に、粘着性または磁力を有するラベル３１をシート２１の所定位置に対して取外し可能に貼付して配置した。【選択図】図１
2009115978.tif 000002
【特許請求の範囲】
【請求項１】
可撓性を有するフィルム状のシートと、前記シートを片面上で固定するボードとが重ねられて一体化してなる台座に、粘着性または磁力を有するラベルを前記シートの所定位置に対して取外し可能に貼付して配置したことを特徴とする設備確認用器具。
【請求項２】
前記シートには、設備内に設置されている各機器の配置関係に関する情報が予め印字されており、接着力または磁力の何れかでシートがボード上に固定されたことを特徴とする請求項１に記載の設備確認用器具。
【請求項３】
前記ラベルは、接着剤または磁性体で繰り返して貼付可能に形成されたシールまたはマグネットであり、前記シートの所定位置には貼付されるラベルと同様の文字、記号、及び数字の何れか又はそれらの組み合わせが印字されていることを特徴とする請求項１又は２に記載の設備確認用器具。
【請求項４】
前記シートには、他の又は関連する設備内の配置関係に関する情報が裏面上にさらに印字されていることを特徴とする請求項１〜３の何れか一項に記載の設備確認用器具。
【請求項５】
設備内に設置されている各機器の配置関係に関する情報が予め印字された平板からなる台座に、粘着性または磁力を有するラベルを所定の印字箇所に対して取外し可能に貼付して配置したことを特徴とする設備確認用器具。
【発明の詳細な説明】
【技術分野】
【０００１】
本発明は、設備の確認作業を行う際の設備確認用器具に関し、特に複数の機器を有する設備の確認作業に有用な設備確認用器具に関する。
【背景技術】
【０００２】
従来から、例えば、電力会社などが保有する発電設備においては、設置されている機器を維持管理するための様々な運用がなされている。このような大型な設備では、設置されている機器の種類や数も多く、また１つの機器が担う役割も大きいため、定期的に各種確認作業が実施されている。
【０００３】
このような作業においては、通常、一定の安全性を確保するために確実性が要求されている。このため、各機器の確認作業において、マーキング等を行うために所定のチェックシートを用いていた。このようなチェックシートは、例えば、現場においてロックした機器を作業者が確認してから、その機器の名称をチェックシートに記入するという手法で使用されていた。
【０００４】
一方、所定の設備で保守点検を実施する際の時間を短縮させるために、設備内の情報を管理することができる専用の装置を導入することも提案されている（例えば、特許文献１参照）。
【０００５】
しかしながら、上述のようなチェックシートを用いた手法では、手書きの作業となり、また確認する（マーキングする）機器の種類や数も多いために、手間と時間がかかるという問題があった。また、専用の機器を導入した場合であっても、汎用性に乏しくコスト高になってしまうという問題もあった。
【０００６】
【特許文献１】特開２００３−０８４８２３号公報（特許請求の範囲等）
【発明の開示】
【発明が解決しようとする課題】
【０００７】
本発明はかかる事情に鑑み、低コストで提供でき且つ汎用性があり、設備内の機器を確認する際の時間と手間を短縮して確実に確認作業を遂行することができる設備確認用器具を提供することを目的とする。
【課題を解決するための手段】
【０００８】
上記目的を達成するための本発明の第１の態様は、可撓性を有するフィルム状のシートと、前記シートを片面上で固定するボードとが重ねられて一体化してなる台座に、粘着性または磁力を有するラベルを前記シートの所定位置に対して取外し可能に貼付して配置したことを特徴とする設備確認用器具にある。
【０００９】
かかる第１の態様では、汎用性があり、確実に確認作業を遂行することができる設備確認用器具を提供することができる。
【００１０】
本発明の第２の態様は、前記シートには、設備内に設置されている各機器の配置関係に関する情報が予め印字されており、接着力または磁力の何れかでシートがボード上に固定されたことを特徴とする第１の態様に記載の設備確認用器具にある。
【００１１】
かかる第２の態様では、設備内の機器を確認する際の時間と手間を確実に短縮することができる。
【００１２】
本発明の第３の態様は、前記ラベルは、接着剤または磁性体で繰り返して貼付可能に形成されたシールまたはマグネットであり、前記シートの所定位置には貼付されるラベルと同様の文字、記号、及び数字の何れか又はそれらの組み合わせが印字されていることを特徴とする第１又は２の態様に記載の設備確認用器具にある。
【００１３】
かかる第３の態様では、各部材の取外しが簡単で繰り返し使用でき、より確実に確認作業を遂行することができる設備確認用器具を提供することができる。
【００１４】
本発明の第４の態様は、前記シートには、他の又は関連する設備内の配置関係に関する情報が裏面上にさらに印字されていることを特徴とする第１〜３の何れか一つの態様に記載の設備確認用器具にある。
【００１５】
かかる第４の態様では、より汎用性を持たせて、効率的に確認作業を遂行することができる設備確認用器具を提供することができる。
【００１６】
本発明の第５の態様は、設備内に設置されている各機器の配置関係に関する情報が予め印字された平板からなる台座に、粘着性または磁力を有するラベルを所定の印字箇所に対して取外し可能に貼付して配置したことを特徴とする設備確認用器具にある。
【００１７】
かかる第５の態様では、より簡素な部材で低コストに、確認作業を遂行することができる設備確認用器具を提供することができる。
【発明の効果】
【００１８】
本発明によれば、低コストで提供でき且つ汎用性があり、設備内の機器を確認する際の時間と手間を短縮して確実に確認作業を遂行することができる設備確認用器具を提供することができる。
【発明を実施するための最良の形態】
【００１９】
以下、本発明を実施するための最良の形態について説明する。なお、本実施形態の説明は例示であり、本発明は以下の説明に限定されない。
【００２０】
（実施形態１）
図１は、実施形態１に係る設備確認用器具の概略斜視図である。本実施形態は、電力会社などが保有する発電設備に設置されている機器を維持管理する作業に適用する場合を想定している。
【００２１】
図示するように、本実施形態の設備確認用器具１０は、可撓性を有するフィルム状のシート２１と、シート２１を片面上で固定する平板状のボード２２とが重ねられて一体化してなる台座２０に、粘着性または磁力を有するラベル３１を貼付して配置することで構成される。このうち、ボード２２は鉄材で形成されたものが好ましいが、シート２１との組み合わせによっては、樹脂などで形成されたものを用いてもよい。
【００２２】
ラベル３１は、台座２０に複数個配置され、それぞれがシート２１の所定位置に対して取外し可能に配置されている。ここで、シート２１の所定位置には貼付されるラベル３１と同様の文字、記号、及び数字の何れか又はそれらの組み合わせが印字されている。このようなラベル３１は、接着剤または磁性体で繰り返して貼付可能に形成されたシールまたはマグネットであり、シート２１または台座２０の材質に応じて貼付される。
【００２３】
シート２１には、設備内に設置されている各機器の配置関係に関する情報が予め印字されている。ここで、各機器の配置関係に関する情報としては、機器の名称、機器の配置関係を示す図などであり、詳細は後述する。そして、シート２１が接着力または磁力の何れかでボード２２上に固定される。このようなシート２１としては、例えば、ペーパー用紙、プラスチックフィルム、磁石などで形成されたものが挙げられ、その材質に応じてボード２２に固定される。
【００２４】
ここで、上述した設備確認用器具１０を構成する各部材の積層状態について説明する。図２は、実施形態１に係る設備確認用器具の拡大断面図である。
【００２５】
図示するように、シート２１は、ボード２２の上面に重ねられて１つの台座２０を構成している。このとき、例えば、ボード２２が鉄材で形成されたものであり、シート２１が磁石で形成されたものである場合には、磁力で各部材が固着される。また、ボード２２の材質に関係なく、シート２１が紙や樹脂で形成されたものである場合には、接着剤または粘着剤を塗布して形成される接着剤層２３を介して各部材が固着される。
【００２６】
一方、台座２０が磁気を帯びた材質を含んで構成されている場合には、ラベル３１を磁性体で形成するようにすればよい。また、台座２０が磁気を帯びた材質を含んで構成されていない場合には、シート２１に対して所定回数繰り返して貼替可能な粘着剤層３２を有するラベル３１を用いるようにすればよい。
【００２７】
ここで、シート２１の印字構成例について説明する。図３は、実施形態１に係るシートの表面を示す平面図であり、図４は、実施形態１に係るシートの裏面を示す平面図である。
【００２８】
図３に示すように、シート２１には、発電所内のコントロールセンター（Ｃ／Ｃ）で管理されている各機器に関して、作業現場に則した各機器の配置が名称と共に視覚的に認識できるように印字されている。コントロールセンターでは、発電所内の各機器の電源が一括で管理されている。そして、多心化盤に各機器の配線を集設することで１つの設備（ユニット）が構成されている。このような設備で設備確認用器具１０を用いることで、作業者は、例えば、発電所内で停電作業を実施する際に生じる確認作業において、該当する設備内の全ての機器をロックするときに、ロックする機器を現場で確認して所定のラベル３１を貼付しておくことで、その後の各機器の操作を確実に禁止させるための禁止札として用いることができる。また、シート２１の印字が作業現場に則した内容であるため、ロックする機器を確認する際の確認作業において、機器の配置関係を図形状態で把握して効率的にラベル３１を貼付することができる。そして、停電作業を終了させる場合には、ラベル３１が全て回収されていることを確認してから、確実に機器のロックを解除することができる。このようにして、ラベル３１を貼付または回収することが容易となることで、各機器に対するマーキングを含めた確認作業の手間と時間を短縮することが可能となる。
【００２９】
なお、上述のような印字がされたシート２１に、機器の操作年月日、操作者（作業者）を記録することで、作業の記録用として保存するようにしてもよい。
【００３０】
上述した例では、シート２１の表面のみに印字をする場合を想定しているが、これに限定されず、シート２１の裏面にも印字をするようにしてもよい。この場合、印字の内容としては、例えば、図４に例示するように表面に印字された設備と関係する又は他の設備に設置されている機器の配置関係に関する情報を印字することが考えられる。
【００３１】
ここで、シート２１とラベル３１の配置方法について説明する。図５は、実施形態１に係るシートとラベルの配置状態を示す図である。
【００３２】
図５には、上述したシート２１の一部が示されている。シート２１には、各機器を示す記載の下に所定の文字等が印字されている。そして、その印字個所に貼付される各ラベル３１にも、各機器を示す記載の下に印字される文字等と同様の文字等（図５に示す例では、α―５，α―１０）が印字されている。このような印字は、作業の内容を識別するためのマークであり、必ずしも予め印字されている必要もなく、また同じ印字内容でなくても良い。例えば、シート２１からラベル３１を剥がす際に、所定の文字等を記入するようにしてもよいし、ロックする機器を現場で確認して所定のラベル３１を貼付したことが認識できるようにシート２１に「済」マークが印字されていてもよい。
【００３３】
上述したように、本実施形態によれば、専用の機器を導入せずに簡素な部材のみで、低コスト且つ容易に設備確認用器具１０を提供することができる。また、ロックする機器に貼付するラベル３１が繰り返し使用できるような構成としたため、汎用性を持たせることもできる。また、本実施形態の設備確認用器具１０によれば、設備内の機器に関する情報が作業現場に則した状態でシート２１に印字されるため、手書き作業の手間を短縮または省くことができると共に、現場の状態を視覚的に図形で把握して確実且つ効率的に作業を遂行することができる。
【００３４】
（他の実施形態）
上述した実施形態１は、本発明の好適な実施の形態であり、本発明の要旨を逸脱しない範囲内において種々の変更実施が可能である。
【００３５】
図６は、他の実施形態に係る設備確認用器具の概略斜視図である。本実施形態の設備確認用器具１０Ａは、台座２０Ａが１つの部材で構成されている点が、上述した実施形態１と異なっている。
【００３６】
具体的には、設備確認用器具１０Ａは、設備内に設置されている各機器の配置関係に関する情報が予め印字された平板からなる台座２０Ａに、粘着性または磁力を有するラベル３１を所定の印字箇所に対して取外し可能に貼付して配置することで構成される。
【００３７】
すなわち、上述したシート２１とボード２２に相当する部分が１つの部材で形成されることになるため、台座２０Ａとなる平板上に直接印字をすることで、実施形態１と同様に発電所内で停電作業を実施する上で、ロックする機器に対して確実且つ効率的に所定のラベル３１を貼付することができる。
【００３８】
また、上述した実施形態１では、発電所内のコントロールセンターで管理されている各機器を停電作業時においてロックする際に行う確認作業（マーキング）を例示して説明したが、特にこれに限定されず、設備内の機器に対して現場で直接マーキング等を施すような各種作業に適用することができる。
【図面の簡単な説明】
【００３９】
【図１】実施形態１に係る設備確認用器具の概略斜視図である。
【図２】実施形態１に係る設備確認用器具の拡大断面図である。
【図３】実施形態１に係るシートの表面を示す平面図である。
【図４】実施形態１に係るシートの裏面を示す平面図である。
【図５】実施形態１に係るシートとラベルの配置状態を示す図である。
【図６】他の実施形態に係る設備確認用器具の概略斜視図である。
【符号の説明】
【００４０】
１０  設備確認用器具
２０  台座
２１  シート
２２  ボード
２３  接着剤層
３１  ラベル
３２  粘着剤層
【図１】
2009115978.tif 000003
【図２】
2009115978.tif 000004
【図３】
2009115978.tif 000005
【図４】
2009115978.tif 000006
【図５】
2009115978.tif 000007
【図６】
2009115978.tif 000008